(57)【要約】【課題】オフィスにおけるワーカーの生産性向上や健康増進に貢献できる家具を提供する。【解決手段】家具は、底部１とフレーム構造体２とを有するフレーム式ブース状である。フレーム構造体２は、人がぶら下がり得るハンギングリング６を備えている。また、フレーム構造体２には、人が休息するための補助具として、身体をもたれ掛けさせ得るベルト１４，１５を設けている。仕事で疲れたり行き詰まったりしたら、ハンギングリング６にぶら下がって血行を良くしたり、ベルト１４，１５にもたれて休息することにより、心身をリフレッシュできる。これにより、知的生産の能率を向上できると共に、ワーカーの健康の維持・増進にも貢献できる。底部枠体３があるためアンカー打ちのような工事は不要であり、設置は容易に行える。【選択図】図１
2019178606.tif 000002
【特許請求の範囲】
【請求項１】
床に安定良く載置される底部によって自立したフレーム構造体を備えており、
前記フレーム構造体は、支柱と、成人の身長よりも高い位置において前記支柱で支持された天枠体とを有しており、
前記支柱と天枠体とのうち少なくともいずれか一方に、人が身体に負荷を掛けるためのリフレッシュ用の補助具、又は、身体を支持する休息用の補助具のうち少なくともいずれか一方を設けている、
フレーム式ブース状家具。
【請求項２】
前記補助具は、人がぶら下がり得る吊り具、人が腰掛け得るハンモック又は遊動板、人が底部に立った状態でもたれ掛かり又は腰掛け得る水平状のバンド又はロープ、人が底部に足を付けた後傾姿勢に支持するもたれ板、底部に立った人が引っ張り得る又は広げ得るエキスパンダー、底部に立った人が持ち上げる得るダンベル、人が拳で叩き得るサンドバック、のうちの少なくとも１つである、
請求項１に記載したフレーム式ブース状家具。
【請求項３】
床に安定良く載置される底部によって自立したフレーム構造体を備えており、
前記フレーム構造体は、空間を囲うように飛び飛びで立設した複数本の支柱を有しており、
前記支柱に、人が直接手を掛けてぶら下がり得るリング状の天枠体、又は、人がよじ昇るような状態で手足を掛け得る複数段の横桟、のうちの少なくとも一方を設けており、前記天枠体及び横桟も前記フレーム構造体を構成している、
フレーム式ブース状家具。
【請求項４】
床に安定良く載置される底部によって自立したフレーム構造体を備えており、
前記フレーム構造体は複数本の支柱を備えており、前記支柱に、目隠し用のパネル、目隠し用スクリーン、筆記用ボード、少なくともノートパソコンを載置可能な天板、人の腰掛け部材、のうちの少なくとも１つが、直接に又は横桟を介して取付けられている、
フレーム式ブース状家具。
【請求項５】
前記底部は床が露出しないように面的な広がりを持っており、この底部に、当該底部に立設した脚で天板を支持して成るテーブル、又は、人が腰掛け得る部材のうちいずれか一方又は両方が配置されている、
請求項１〜４のうちのいずれかに記載したフレーム式ブース状家具。
【発明の詳細な説明】
【技術分野】
【０００１】
本願発明は、オフィス等の空間に独立したような状態で設置できるフレーム式ブース状家具に関するものである。
【背景技術】
【０００２】
オフィスでは、作業目的に応じて各種の家具が使用されている。一般には、椅子とセットで使用される机（或いはテーブル）が家具の基準になっており、多数の机を様々なレイアウトで配置している。この場合、机の使用者が決まっていないフリーアドレス方式も広く普及している。
【０００３】
執務には机が使用されて、商談や会議にはテーブルが使用されるのが一般的であるが、特許文献１に開示されているように、建物の床に立設した複数本の支柱の上端をビームで連結することによってフレーム構造体を構成し、支柱にリング状の天板を取り付けてテーブルと成したり、支柱に棚板を取付けたりすることも提案されている。
【先行技術文献】
【特許文献】
【０００４】
【特許文献１】特開２００４−１８３２４９号公報
【発明の概要】
【発明が解決しようとする課題】
【０００５】
さて、近年、オフィスにおいては、ワーカーの生産性を高める等の観点から、ワーキングスタイルに変化がみられる。上記したフリーアドレス方式もその一環であり、また、特許文献１のフレーム構造体も、人の動きの自由性を高めたり、寛ぎ効果によってコミュニケーション効果を高めたりできるものであり、知的生産性を高めるための環境作りに貢献できるものである。
【０００６】
このように、ワーカーの自由性を高めて知的生産性向上に貢献できるような環境作りは進んでいるが、生産性向上のネックとして存在するワーカー自身の疲れや思考の行き詰まりに対しては、ワーカー自身の問題として、環境面からの配慮は成されていないのが実情である。
【０００７】
すなわち、ワーカーが仕事で疲れて能率が低下したり、アイデア等の創造に行き詰まって仕事が事実上停止したりしても、それはワーカーの内面の問題として認識されており、ワーカーは、せいぜい、椅子にもたれて休息するといった対策しか採ることができず、このため、仕事の能率（生産性）を高め難いという問題があった。
【０００８】
本願発明はこのような現状を改善すべく成されたものであり、心身の疲れを取ってリフレッシュしたり、気分転換によって思考の行き詰まりを打破したりできる環境作りに貢献できる家具（設備）を提供せんとするものである。
【課題を解決するための手段】
【０００９】
本願発明は、新規にして斬新なフレーム構造体に関する。この発明は様々な構成を含んでおり、その典型の構成を各請求項で特定している。このうち請求項１の発明は、ワーカーのリフレッシュ機能や休息機能アップ、気分転換機能に貢献せんとするものである。
【００１０】
すなわち、請求項１の発明に係るフレーム式ブース状家具は、床に安定良く載置される
底部によって自立したフレーム構造体を備えており、前記フレーム構造体は、支柱と、成人の身長よりも高い位置において前記支柱で支持された天枠体とを有しており、前記支柱と天枠体とのうち少なくともいずれか一方に、人が身体に負荷を掛けるためのリフレッシュ用の補助具、又は、身体を支持する休息用の補助具のうち少なくともいずれか一方を設けている。
【００１１】
請求項２の発明は、請求項１の補助具の具体例であり、前記補助具は、人がぶら下がり得る吊り具、人が腰掛け得るハンモック又は遊動板、人が底部に立った状態でもたれ掛かり又は腰掛け得る水平状のバンド又はロープ、人が底部に足を付けた後傾姿勢に支持するもたれ板、底部に立った人が引っ張り得る又は広げ得るエキスパンダー、底部に立った人が持ち上げる得るダンベル、人が拳で叩き得るサンドバック、のうちの少なくとも１つである。
【００１２】
請求項３のフレーム式ブース状家具も、請求項１と同様に、ワーカーのリフレッシュ機能や休息機能アップ、気分転換機能に貢献せんとするものであり、この請求項３のフレーム式ブース状家具は、床に安定良く載置される底部によって自立したフレーム構造体を備えており、前記フレーム構造体は、空間を囲うように飛び飛びで立設した複数本の支柱を有しており、前記支柱に、人が直接手を掛けてぶら下がり得るリング状の天枠体、又は、人がよじ昇るような状態で手足を掛け得る複数段の横桟、のうちの少なくとも一方を設けており、前記天枠体及び横桟も前記フレーム構造体を構成している。なお、請求項３における「周囲に沿って」は、支柱が底部の外側に位置している場合と、支柱が底部の縁部から立ち上がっている場合との両方を含んでいる。
【００１３】
請求項４の発明に係るフレーム式ブース状家具は、環境の多様化や使い勝手の向上という点からフレーム式ブース状家具に改良を加えている。すなわち請求項４の発明では、フレーム式ブース状家具は、床に安定良く載置される底部によって自立したフレーム構造体を備えており、前記フレーム構造体は複数本の支柱を備えており、前記支柱に、目隠し用のパネル、目隠し用スクリーン、筆記用ボード、少なくともノートパソコンを載置可能な天板、人の腰掛け部材、のうちの少なくとも１つが、直接に又は横桟を介して取付けられている。
【００１４】
なお、この請求項３の発明は、請求項１，２の発明は対立するものではない。請求項１，２の構成と請求項３の構成とを組み合わせてもよいのである。同様に、請求項４の発明も請求項１〜３の発明と対立するものではなく、請求項１〜３のうちのいずれかと発明と請求項４の発明とを組み合わせることも可能である。
【００１５】
請求項５の発明は、フレーム式ブース状家具を作業空間として使用することに好適なものであり、請求項１〜４のうちのいずれかのフレーム式ブース状家具において、前記底部は床が露出しないように面的な広がりを持っており、この底部に、当該底部に立設した脚で天板を支持して成るテーブル、又は、人が腰掛け得る部材のうちいずれか一方又は両方が配置されている。
【発明の効果】
【００１６】
請求項１の発明では、ワーカーは、フレーム構造体に設けた補助具を使用してリフレッシュの動作を採ったり、補助具を利用して休息したりすることができる。そして、身体を動かすことによって血行が促進されて高いリフレッシュ効果・気分転換効果を得ることができるため、心身の疲れを取って仕事の能率を向上させることが可能になる。つまり、オフィスにスポーツジム機能・エクササイズを持たせることができるのであり、これにより、ワーカーの心身をリフレッシュさせて、生産性向上に貢献できると、ワーカーの健康維持にも貢献できるのである。
【００１７】
また、例えば、椅子にもたれた状態で思索しても、居眠りに移行してしまって脳の活性化に繋がらない場合も多いが、本願請求項１では、フレーム式ブース状家具に設けた補助具にて休息するという非日常的な休息を採り得るため、気分転換効果によって高い休息効果を発揮し、脳の活性化に大きく貢献し得る。従って、椅子にもたれただけの休息に比べて、知的生産性の向上効果は優れていると云える。
【００１８】
そして、本願発明の特徴は・家具が床に安定良く載置される底部を有することであり、底部を有することにより、建物の床にアンカーを打つような工事を要することなく、フロアーに簡単に設置できる。すなわち、現場で組み立てるだけでよいため、設置は簡単であると共に、底部を強度メンバーとして機能させ得ることにより、フレーム構造体を堅牢な構造とすることができる。なお、現場の状態が許せば、工場等で組み立ててユニット化されたものを搬入してそのまま設置することも可能であり、この場合は、現場での組み立てが不要になるため、非常にユーザーフレンドリーである。
【００１９】
補助具の例を請求項２で挙げているが、人がぶら下がり得る吊り具では、ぶら下がり行為に際して音は出ないため、他人に迷惑をかけることなく血行を促進して高いリフレッシュ効果・気分転換効果を得ることができる。
【００２０】
また、補助具として、人が腰掛け得るハンモック又は遊動板を採用すると、椅子による休息とは異なる刺激的な休息を得ることができて、脳の活性化に大きく貢献できる。人が底部に立った状態でもたれ掛かり得る水平状のバンド又はロープも休息のための手段と云えるが、これも、通常は見られない休息態様であるため、脳の活性化に貢献できると云える。バンド又はロープとして強い弾性があるものを使用すると、クッション作用によってより高い休息効果を得ることができると云える。
【００２１】
バンドやロープにもたれ掛かる場合は、例えば腰や背中のような一部が支持されることになるが、人を底部に足を付けた後傾姿勢に支持するもたれ板を使用すると、前身が安定した状態に支持されるため、リラックス性が高くなると云える。この場合も、人は基本的には立った姿勢なので、ベッドに寝た状態や椅子にもたれた状態に比べて居眠りへの移行は生じ難く、従って、一時的に休息して脳を活性化させる機能に優れていると云える。
【００２２】
補助具としてのエキスパンダーやダンベル、サンドバックの使用も、血行を促進して高いリフレッシュ効果を得ることができる。僅かの時間だけ運動に近い動作を採ることにより、心身の疲れを取って知的生産性の向上に貢献できるのである。
【００２３】
請求項３の発明は、補助具を使用せずに、天枠体や横桟に人が直接手や足を掛けるようにしたものであり、請求項１と同様に、血行の促進や気分転換により、高いリフレッシュ効果を発揮して知的生産性向上に貢献できる。
【００２４】
請求項４の発明は、フレーム構造体にいわばオプション的な機能を保持させたものであり、各部材の性質に応じて効果が発揮される。すなわち、目隠し用のパネル、目隠し用スクリーンを設けると、フレーム式ブース状家具の個室性を高まるため、広いフロアーに設置しても他人への気兼ねなく使用できる利点がある。
【００２５】
また筆記用ボードやノートパソコンを載置可能な天板を設けると、フレーム式ブース状家具を作業スペースとして使用できる。この例から理解できるように、フレーム式ブース状家具は、ワーカーを活性化させるための専用スペースとして使用することもできるし、リラックス機能付き作業スペースとして使用することもできる。
【００２６】
人の腰掛け部材（すなわち、椅子又はその類似物）を設けると、人がフレーム式ブース状家具の内部で作業をしたり談話したりすることができる。この場合も、腰を落ち着けるものではなくて身体に少し負荷が掛かる状態になるため、脳への刺激という点では優れている。
【００２７】
請求項５のように、テーブルや腰掛け部材を設けると、フレーム式ブース状家具を作業や商談、談話のスペースとしても使用できるため、使用価値が一層向上すると云える。 
【図面の簡単な説明】
【００２８】
【図１】第１実施形態を示す図で、（Ａ）は全体を上方から見た斜視図、（Ｂ）は下方から見た部分斜視図である。
【図２】第１実施形態の分離斜視図である。
【図３】第１実施形態の部分斜視図である。
【図４】第１実施形態を示す図で、（Ａ）は正面図、（Ｂ）は使用状態の一例を示す部分的な正面図である。
【図５】第２実施形態の斜視図である。
【図６】（Ａ）は第２実施形態の正面図、（Ｂ）はハンモックの別例断面図である。
【図７】第３実施形態の斜視図である。
【図８】第４実施形態を示す図で、（Ａ）は全体の斜視図、（Ｂ）は使用状態の一例を示す図である。
【図９】（Ａ）は第５実施形態の部分斜視図、（Ｂ）は第６実施形態の部分斜視図、（Ｃ）は第７実施形態の部分斜視図である。
【図１０】（Ａ）は第８実施形態の部分斜視図、（Ｂ）は第９実施形態の部分斜視図である。
【図１１】（Ａ）は第１０実施形態の部分斜視図、（Ｂ）は第１１実施形態の部分斜視図である。
【発明を実施するための形態】
【００２９】
(1).第１実施形態の基本構造
次に、本願発明の実施形態を図面に基づいて説明する。まず、図１〜図４を参照して第１実施形態を説明する。本実施形態のフレーム式ブース状家具は、主要要素として、平面視四角形（正方形）の底板１と、大まかには直方体状のフレーム構造体２とを備えている。
【００３０】
本実施形態では、フレーム構造体２は、底板１の各辺の外側に寝かせて配置された４本の底部枠体３と、底部１の各コーナーの外側から立ち上がった４本の支柱（縦枠体）４と、底部枠体３と平行な姿勢で支柱４の上端間に配置された４本の天枠体５と、４本の天枠体５で囲われた内部に配置されて平面視円形のハンギングリング６とを有している。底部枠体３は請求項に記載した底部の一例である。他方、ハンギングリング６はリフレッシュ用補助具の一例であり、人はハンギングリング６にぶら下がることができる。ハンギングリング６は平面視四角形であってもよい。
【００３１】
本実施形態では、各枠体３，５と支柱４とは同径の金属パイプが使用されており、隣り合った３本の枠体３，５及び支柱４は、互いに直交した３本の筒部を有する三方ジョイント７によって接続されている。すなわち、隣り合った枠体３，５及び支柱４の端部を三方ジョイント７の筒部に挿入して、ボルト（図示せず）で筒部に固定している。互いに直交した３本のボス体を有する三方ジョイントを使用して、各ボス体を枠体３，５及び支柱４の端部に挿入してボルトで固定してもよい。
【００３２】
天枠体５は、ステー８を介して各天枠体５に固定されている。ステー８の両端には継手
部８ａ，８ｂを設けており、継手部８ａ，８ｂは、天枠体５及びハンギングリング６にボルトで固定されている。この場合、天枠体５に被嵌した継手部８ａは単なる筒状でもよいが、ハンギングリング６に固定される継手部８ｂは割方式になっている。但し、ハンギングリング６が４分割されている場合は、継手部８ｂを筒状に構成しても差し支えない。強度の面からは、ハンギングリング６はループ構造であるのが好ましい。ハンギングリング６は、人が握りやすい外径になっている。従って、支柱４や天枠体５とは異なる外径であってもよい。
【００３３】
天枠体５は、一般成人の身長よりも高い位置に配置しており、例えば２００〜２５０ｃｍの高さとすることができる。ハンギングリング６は天枠体５よりも少し低い位置に配置している。ハンギングリング６は、平均的な一般成人（例えば身長１６０ｃｍ前後）が手を伸ばして届く程度の高さに設定しており、例えば、１９０〜２１０ｃｍ程度に設定できる。従って、人は、ハンギングリング６に手を掛けて、膝を折った状態でぶら下がることができる。ハンギングリング６に手が届かない場合は、椅子や踏み台を使用してぶら下がったらよい。
【００３４】
上記したように、底板１は、４本の底部枠体３で囲われた内部に配置されており、底部枠体３の上面と略同じ高さになるように設定している。なお、本実施形態では、三方ジョイント７の筒部に底部枠体３の端部が嵌まっているため、建物の床面には下端に位置した三方ジョイント７が当接している。三方ジョイント７と底部１との相互間、又は、底部枠体３と底板１との相互間を金具類で固定することも可能である。
【００３５】
図２（Ｂ）に示すように、底板１は、格子状の芯材１ａに上板を張った構造になっているが、単なる１枚板の構造であってもよい。芯材１ａを使用する場合、樹脂製とすることも可能である。また、本実施形態のように底部枠体３の群で囲われた内部に底板１を嵌め込む方式を採用する場合は、底板１として、いわゆるアクセスフロアーの構成部材を使用することも可能である。底板１を使用せずに、建物の床を露出させることも可能である。
【００３６】
接地する底部枠体３を使用せずに、底板１から支柱４を立設してもよい。この場合は、底板１が請求項に記載した底部になる。また、この場合は、支柱４の下端にフランジ板を固定して、このフランジ板を底部１にビス止めするなどしたらよい。支柱４及び枠体３，５は丸パイプである必要はなく、例えば、角形鋼管やＣ形チャッネル材を使用することも可能である。楕円管（オーバル管）も採用できる。ハンギングリング６は、各天枠体５と同じ高さであってもよいし、ハンギングリング６が天枠体５より高い高さであってもよい。
【００３７】
(2).付属品
底板１の中央部には、平面視円形のテーブル９を配置している。テーブル９は中央部に配置された脚１０を有しており、脚１０は底板１に固定されている。なお、テーブル９は、オプション品であってもよいし標準品として装備してもよい。
【００３８】
フレーム構造体２の周囲には４つの面が構成されているが、隣り合った２つの面はオープンにして、他の隣り合った２つの面をそれぞれ壁パネル１１で塞いでいる。壁パネル１１は１つの面に２枚ずつ配置されているが、枚数は横幅に応じて設定したらよい。壁パネル１１は、その周囲を構成する枠体に板材を装着した構成とすることができる。全体を１枚板の構造にしてもよい。いずれにしても、上端は天枠体５に固定されて、下端は底部枠体３に固定されている。
【００３９】
壁パネル１１の構造は、必要とする機能に応じて様々に選択できる。例えば、完全な目隠し機能を得たい場合は、間仕切パネルのように遮光構造にすることができる。外からも
見えるようにしたい場合は、ガラス板やアクリル板のような透明材で構成したらよい。透光性のみ確保したい場合は、スリガラスのような透光性非透明板を使用したらよい。高さ方向の一部だけに透明板を配置するというように、高さによって機能やデザインを変えることも可能である。
【００４０】
壁パネル１１の内側にはインナーパネル１２を配置して、壁パネル１１の外側にはアウターパネル１３を配置している。インナーパネル１２及びアウターパネル１３は横長の姿勢になっているが、形状や高さ位置は必要に応じて任意に設定できる。これらインナーパネル１２及びアウターパネル１３は、単なる美粧目的に配置することも可能であるし、例えば、ピンナップ性を持たせて表示板として使用することも可能である。いずれか一方又は両方を、ホワイトボードや黒板のような書き込み板とすることも可能である。電子モニターを配置することも可能である。
【００４１】
いうまでもないが、各パネル１１，１２，１３は任意的部材であり、いずれも設ける必要はないし、１又は２つを設けてもよい。１つの面のみに設けたり、全周面に設けたりすることも可能であり、各面で配置態様を異ならせてもよい。全周面にパネルを設けた場合は、人の出入りのための入り口を形成しておく必要がある。目隠し手段や美粧手段としては、可撓性を有するスクリーンやカーテンを設けることも可能である。
【００４２】
本実施形態では、身体を支持する休息用の補助具として、隣り合った２つの外周面の個所に、人が腰掛け得る第１ベルト１４と、第１ベルト１４に腰掛けか人がもたれ得る第２ベルト１５とを水平姿勢に配置している。第１ベルト１４の端部は、支柱４に固定した側面視山形のブラケット１５の上傾斜部に固定している。従って、第１ベルト１４の広幅面は鉛直線に対して傾斜しており、人は、中腰の状態で第１ベルト１４に腰掛けることになる。
【００４３】
第２ベルト１５は、接続具１６を介して隣り合った支柱４の間に配置している。この場合、第２ベルト１５と壁パネル１１との間には間隔が空いている。従って、壁パネル１１は支柱４の後端部に取付けられている。第２ベルト１５を、第１ベルト１４と同様に、フレーム式ブース状家具の内部に突出したブラケットに取り付けることも可能である。
【００４４】
両ベルト１４，１５は、例えば動力伝達用平ベルトのように、伸び変形しない素材が使用されている。このため、人の身体を的確に支持できる。もとより、強弾性糸より成る編地又は織地を使用して、使用者の体圧で僅かながら伸び変形させることも可能である。
【００４５】
(3).第１実施形態のまとめ
本実施形態のフレーム式ブース状家具は、例えばオフィスのフロアーにリフレッシュエリアとして設置される。そして、オフィスのワーカーが仕事に疲れたり行き詰まったりしたら、フレーム式ブース状家具にやって来て、図４（Ａ）に示すようにハンギングリング６にぶら下がってストレッチを行ったり、図６（Ｂ）に示すように、第１及び第２のベルト１４，１５にもたれて休息したりすることができる。
【００４６】
ハンギングリング６にぶら下がることによって血行が促進されると共に、気分転換によって疲れを癒したり、脳を活性化してアイデアを引出したりすることができる。つまり、オフィスにエクササイズ機能を設けたのと同じ状態にすることより、ワーカーの心身を活性化させて知的生産性を高めることができるのである。
【００４７】
テーブル９に飲み物を置いて、フレーム式ブース状家具を談話室として使用することも可能である。この場合、人は、ベルト１４，１５にもたれて休息するという非日常的な休息態様を採るため、休息はしつつも脳の刺激機能は高くて、ワーカーの創造性を高めるこ
とができると云える。
【００４８】
テーブル９にノートパソコンを置くなどして、フレーム式ブース状家具で作業を行うことも可能である。フレーム式ブース状家具を作業場として使用する態様には、一時的に自席を離れてフレーム式ブース状家具で作業する使用態様と、フレーム式ブース状家具を特定人の作業場として、疲れたらハンギングリング６にぶら下がってリフレッシュするという使用態様とがある。
【００４９】
なお、第２実施形態に示すハンモックをハンギングリング６に吊支することも可能である。ハンギングリング６は円形であるが、天枠体５の群と相似形の四角形にすることも可能である。本実施形態では、ハンギングリング６はフレーム構造体２の補強機能も発揮している。
【００５０】
また、本実施形態では、三方ジョイント７を使用してフレーム構造体２を組み立ててから、底部枠体３で囲われた内部に底部１を配置したらよいため、組み立ては簡単である。ぶら下がりのための補助具としては、実施形態のハンギングリング６に代えて、又はこれに加えて、水平状のハンギングバーを適宜個数配置してもよい。
【００５１】
(4).第２，３実施形態
図５，６に示す第２実施形態では、天枠体５を平面視円形のリング状に構成して、この天枠体５に補助具の一例としての腰掛け用ハンモック２０を吊支している。天枠体５は、Ｔ形継手８ｃで支柱４の上端に固定されている。ハンモック２０は２だけ表示しているが、２つのみ又は３以上であってもよい。本実施形態では、各支柱４は底板１のコーナー部に立設している。従って、本実施形態では、底板１が請求項に記載した底部になっている。すなわち、底板１は家具の平面視形状と同じ形状であり、従って、家具の個所では建物の床は露出していない。天枠体５は底板１の内接円よりも小径であるため、各支柱４の上端部は天枠体５に向けて庇状に曲がっている。
【００５２】
ハンモック２０は強靱な織地又は編地若しくはネット材からなっており、人は、リラックスした状態でハンモック２０に腰掛けることができる。ハンモック２０は、上に行くに従って幅が狭くなる形状になっている。天枠体５は、平面視でテーブル９を囲うように配置されている。従って、天枠体５に飛び飛びでハンモック２０を吊支することにより、複数人が休息しながら談話することができる。
【００５３】
フレーム構造体２における隣り合った２つの面の個所には、壁パネル１１とインナーパネル１２とを配置している。また、パネル１１，１２を配置していない１つの面の個所には、ハンモック２０に腰掛けた人がもたれ得る上下２段のロープ２１を配置している。パネル１１，１２を配置せずに、３つの面にロープ２１を配置してもよい。ロープ２１の両端は支柱４に接続されている。なお、支柱４は底部３のコーナーの個所のみに配置しているが、家具の大きさや必要な強度等に応じて、各辺の個所に中間的な支柱４を適宜本数配置してもよい。この点は、他の実施形態も同様である。
【００５４】
本実施形態では、パネル１１，１２を取り付けていない１本の支柱４に、上向き開口のトレー２２と鏡２３とを取り付けている。トレー２２には、植木鉢を収納したり、造花や切り花を飾ったりすることができる。図示していないが、支柱４や天枠体５を利用して灯具を取り付けることも可能である（この点は、他の実施形態も同様である。）。
【００５５】
腰掛け式のハンモック２０は、図６（Ｂ）に示すように、背当て部２０ａを一体に設けか構造も採用可能である。この構成を作用すると、人の身体の安定性が高くなる利点がある。ハンモック２０の外面又は内面に、スマートホォン等の小物を入れるポケット部を設
けることも可能である。また、ハンモック２０に代えて又はこれに加えて、ブランコ状の遊動板を天枠体５から吊支してもよい。天枠体５又は支柱４の上部に、人がぶら下がるための吊り輪を設けることも可能である。
【００５６】
実施形態７に示す第３実施形態は第２実施形態の変形例であり、この実施形態は、フレーム式ブース状家具が平面視長方形に形成されており、これに伴って、天枠体５もテーブル９も平面視小判形の形態を成している。または、テーブル９は２本の脚１０で支持されている。
【００５７】
図７ではハンモック２０は１つしか表示していないが、多数のハンモック２０を吊支することができる。ハンモック２０の上端に鉤体を設けるなどして、ハンモック２０を着脱式とすることも可能である。この場合は、使用者の数に応じてハンモック２０の図を任意に増減できる。また、個人の好みに応じて専用のハンモック２０を使用することも可能になる。図７（Ｂ）では、ハンモック２０とロープ２１とを使用している状態を表示している。
【００５８】
(5).第４実施形態
図８に示す第５実施形態では、リフレッシュ用の補助具として、多数の吊り輪２４を使用した状態を示している。吊り輪２４は、平行に配置された多数の横梁２５に吊支されており、横梁２５は、平行に延びる２本の天枠体５及び中間枠体２６に装架されている。吊り輪２４の上端はリング構造になっており、横梁２５の長手方向に沿って位置を自在に変更できる。底板１は四角形になっているが、円形や小判形であってもよい。
【００５９】
本実施形態の吊り輪２４は電車の吊り輪と同じであり、帯状のベルトにリングを取り付けた構造である。従って、リングは一定の姿勢に保持されている。人が両手を吊り輪にぶら下がる場合、左右の手の平を対向させた姿勢にする場合と、左右の手の平を同じ方向に向けた場合とがあり、どちらの姿勢を採るかは人の好みであるが、本実施形態では、１本の横梁２５に吊支されている２本の吊り輪にぶら下がると、左右の手の平を同じ方向に向けることになり、平行な２本の横梁に吊支された吊り輪にぶら下がると、左右の手の平を対向させた姿勢になる。このため、人の好みに応じて、腕に負担がかからないぶら下がり姿勢を選択できる。
【００６０】
(6).第５〜７実施形態
図９では、リフレッシュ用補助具の別例を示している。このうち図９（Ａ）に示す第５実施形態では、フレーム構造体２の外周面の個所に、補助具の例として、丸パイプ等よりなる横桟２７を多段に装架して、人が横桟２７を使用して、よじ上り姿勢でぶら下がりできるようにしている。手と足とを横桟２７に掛けた状態で身体を屈伸させる、といった全身運動も可能である。このため、血行促進効果は高くて、ワーカーの健康増進に大きく貢献できる。
【００６１】
図９（Ｂ）に示す第６実施形態では、横梁２５に、補助具の例として、引っ張りコイルばね２９を介して吊り棒２９を取付けている。人は、筋力トレーニングのような状態で吊り棒２９を引っ張ることができる。ばね２９の強さを適度に設定しておくことにより、懸垂や腕立て伏せほどの負荷を身体にかけることなく、疲れを取ることができる。
【００６２】
ばね２９に代えて、ゴム（例えば平ゴム）を使用することができる。また、支柱にゴムや引っ張りばねを介してグリップを取付けて、エキスパンダーに類似した補助具と成すことも可能である。
【００６３】
図９（Ｃ）に示す第７実施形態では、支柱４から内向き突設したアーム１６′に水平姿
勢の支軸３０を取付けて、この支軸３０に、補助具の一例として、人がもたれ掛かり得るもたれ板３１を回動自在に連結している。もたれ板３１は、ねじりコイルばねやトーションバー等のばね手段に抗して後傾可能であり、人は、身体を伸ばした状態でもたれ板３１にもたれ掛かって、ばね力に抗して身体を後傾させることができる。これにより、高いストレッチ効果を得ることができる。身体を伸ばすだけなので、女性も使用しやすい。
【００６４】
(7).第８，９実施形態
図１０（Ａ）に示す第８実施形態は、隣り合った支柱４に、人の腰が当たる下部もたれ体３１ａと、人の背中が当たる上部もたれ体３１ｂとが、互いに独立して水平状の軸心回りに回動自在となるように取付けている。両もたれ体３１ａ，３１ｂは、それぞれ左右のサイドフレーム３２をステー３３で連結して、左右サイドフレーム３２にメッシュ等の可撓性シート材３４を張った構造であり、上下もたれ体３１ａ、３１ｂは、ばね体（図示せず）に抗して前後後傾するように支柱４に取付けられている。
【００６５】
従って、人は、両もたれ体３１ａ，３１ｂに身体を預けて、ばね体の弾性に抗して身体を伸ばしたり、ばね体の弾性によって身体を曲げた状態に戻したりすることができる。すなわち、両もたれ体３１ａ，３１ｂを利用して屈伸運動を行うことができる。従って、もたれ体３１ａ，３１ｂはリフレッシュ用補助体の一例である。
【００６６】
図１０（Ｂ）に示す第９実施形態ももたれ体３１の別例であり、この実施形態のもたれ体３１は、１つで人の身体全体を支持するようになっている。すなわち、側面視で極く緩い略Ｓ字状に曲がったサイドフレーム３３と、左右のサイドフレーム３３を繋ぐ上下のステー３３と、左右サイドフレーム３３に張った可撓性シート材３４とから成っている。そして、ばね体に抗して前後回動するように、支柱４に突設したアーム１６′に取付けられている。この実施形態では、使用者は、身体を、伸ばしたり曲げたりしつつばね体に抗して傾動させることができる。
【００６７】
(8).第１０，１１実施形態
図１１では、第１０，１１実施形態を示している。これら両実施形態は、フレーム構造体２を主として作業目的に使用している。従って、補助具はリフレッシュ用や休息用ではなくて、作業用（執務）になる。但し、リフレッシュ用に使用することは可能であり、リフレッシュ用に使用できないという趣旨ではない。
【００６８】
このうち図１０（Ａ）に示す第１０実施形態では、フレーム式ブース状家具は長方形であり、長方形の底部１の前後両端部に門型のエンドフレーム３２を立設し、前後エンドフレーム３５のエンド天枠体５′をビーム状天枠体（梁材）３６で連結している。
【００６９】
そして、ビーム状天枠体３５から垂下した吊り棒３７にロング天板３８を固定し、ロング天板３８を挟んだ両側に、人がいわゆるチョイ掛けできる椅子３９を適宜間隔で多数配置している（図では、椅子３９の列は片側しか表示しない。）。ロング天板３８には、例えばノートパソコンやタプレット端末を載置することができる。もちろん、筆記にも使用できる。
【００７０】
このフレーム式ブース状家具は、多数のワーカーが一時的に集まってミーティグしたり、マネージャーに指揮を受けたりするのに好適である。すなわち、一般ワーカーはロング天板３８を挟んだ両側に中腰の姿勢で並んでおり、マネージャーは、フレーム式ブース状家具の一端部に立って指示等を行う。従って、自席を必要としない営業マンのミーティングなどに好適である。ロング天板３８の下方を荷物載置棚とすることも可能である。
【００７１】
図１０（Ａ）の第１０実施形態は、フレーム式ブース状家具はワーカーが一時的に使用
するものであったが、図１０（Ｂ）に示す第１１実施形態では、ワーカーが自席として使用するタイプを示している。すなわちこの実施形態では、まず、底部１に、腰掛け用バー４０と背もたれ用バー４１とを背中合わせ状に一対ずつ設けて、腰掛け用バー４０及び背もたれ用バー４１の群を挟んだ両側に、パソコン等を載置できる作業テーブル４２を適宜間隔で多数配置している。
【００７２】
従って、ワーカーは、中腰状態で腰掛け用バー４０と背もたれ用バー４１とに身体を預けた状態で、パソコン操作等で作業（仕事）を行える。中腰状態であるため、猫背を防止できると共に、血行不良も防止できる。腰掛け用バー４０と背もたれ用バー４１とは、丸太状になっているが、いずれか一方又は両方を板状や半円状に形成することも可能である。バー４０，４１の外周面にクッション材を巻くことも可能である。
【００７３】
図１１（Ａ）と同様に、底部１の両端部に門型のエンドフレーム３２を設けて、これらのサイド天枠体５′を左右のビーム状天枠体３６で連結しており、ビーム状天枠体３６を、灯具等の取付けや、ぶら下がりのハンガーとして使用できるようにしている。テーブル４２をビーム状天枠体３６から吊支することも可能である。椅子に腰掛けて長時間作業を行うと、血行が悪くなって痔疾の原因にもなりやすいが、本実施形態のような中腰支持方式の身体支持手段を採用することにより、血行を促進して作業能率も向上できると云える。
【００７４】
(9).その他
本願発明は、上記の実施形態の他にも様々に具体化できる。例えば、リフレッシュ用の補助具として、底部に配置した回転板を採用し、これに人が乗って身体をねじる（ツイストさせる）ことも可能である（この場合は、身体を安定させるための吊り具を併用するのが好ましい。）。補助具として、天枠体からループ状のロープを垂らして、このロープを掴んだ状態で身体を大きく傾かせる、といったリフレッシュ動作を採ることも可能である。
【００７５】
更に、リフレッシュ用の補助具としては、重りを持ち上げるダンベルのようなものや、ばねに抗して傾動する左右一対のハンドルから成るボート漕ぎ具のようなもの、或いは、拳で打つことができるサンドバックなども採用できる。
【産業上の利用可能性】
【００７６】
本願発明は、実際に具体化できる。従って、産業上利用できる。
【符号の説明】
【００７７】
１  底板
２  フレーム構造体
３  底部を構成する底部枠体
４  支柱
５，５′，３６  天枠体
６  リフレッシュ用補助具の一例としてのハンギングリング
９  テーブル
１１，１２，１３  パネル
１４，１５  休息用補助具の一例としてのベルト
２０  休息用補助具の一例としてのハンモック
２１  休息用補助具の一例としてのロープ
２４  リフレッシュ用補助具の一例としての吊り輪
２５  横梁
２９  リフレッシュ用補助具の一例としての吊り棒
３１，３１ａ，３１ｂ  リフレッシュ用又は休息用補助具の一例としてのもたれ体
【図１】
2019178606.tif 000003
【図２】
2019178606.tif 000004
【図３】
2019178606.tif 000005
【図４】
2019178606.tif 000006
【図５】
2019178606.tif 000007
【図６】
2019178606.tif 000008
【図７】
2019178606.tif 000009
【図８】
2019178606.tif 000010
【図９】
2019178606.tif 000011
【図１０】
2019178606.tif 000012
【図１１】
2019178606.tif 000013
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
オフィスに設置されるフレーム式ブース状家具であって、
平面視四角形の底板と、
前記底板の各辺に沿って配置された４本の底枠材から成る平面視四角形の底部枠体と、
前記底部枠体の各コーナー部から立ち上がった４本の支柱と、
前記支柱の上端に固定された天枠体とを備えており、
周囲が４つの面で形成されている構成であって、
前記周囲を構成する４つの面のうち少なくとも１つの面に、書き込み板又は電子モニターを配置している、
オフィス用のフレーム式ブース状家具。
【請求項２】
前記周囲を構成する４つの面のうち前記書き込み板又は電子モニターが配置されていない面に、人がもたれ得るベルト又はロープが水平状の姿勢に配置されている、
請求項１に記載したオフィス用のフレーム式ブース状家具。
【請求項３】
オフィスに設置されるフレーム式ブース状家具であって、
平面視四角形の底板と、
前記底板の各辺に沿って配置された４本の底枠材から成る平面視四角形の底部枠体と、
前記底部枠体の各コーナー部から立ち上がった４本の支柱と、
前記支柱の上端に固定された天枠体とを備えており、
周囲が４つの面で形成されている構成であって、
前記周囲を構成する４つの面のうち少なくとも１つの面に、人がもたれ得るベルト又はロープが水平状の姿勢に配置されている、
オフィス用のフレーム式ブース状家具。
【請求項４】
前記天枠体は、平面視円形又は角形若しくは小判形のリング状に構成されていて、平面視において前記底部枠体の外周面よりも内側に配置されている、
請求項１〜３のうちのいずれかに記載したオフィス用のフレーム式ブース状家具。
【請求項５】
前記各支柱の上部は、その上端が平面視において前記底部枠体の内側にずれるように曲げられており、前記各支柱の上端に前記天枠体が固定されている、
請求項１〜４のうちのいずれかに記載したオフィス用のフレーム式ブース状家具。
【請求項６】
前記天枠体には、人が手を掛けてぶら下がり得る直線状のハンギングバー又はループ状のハンギングリングが水平状の姿勢で接続されている、
請求項１〜５のうちのいずれかに記載したオフィス用のフレーム式ブース状家具。
【請求項７】
前記ハンギングバー又はハンギングリングは、前記支柱及び天枠体よりも小径に設定されている、
請求項６に記載したオフィス用のフレーム式ブース状家具。
【請求項８】
オフィスに設置されるフレーム式ブース状家具であって、
平面視四角形の底部と、前記底部の各コーナー部から立ち上がった４本の支柱と、
前記底部の平行な２つの辺の端部に位置した一対の前記支柱の上端に連結されていて互いに平行な姿勢になっている一対のサイド天枠体と、前記一対のサイド天枠体に連結されていて人が手を掛けてぶら下がり得るハンギングバーとを備えている、
オフィス用のフレーム式ブース状家具。
【手続補正２】
【補正対象書類名】明細書
【補正対象項目名】全文
【補正方法】変更
【補正の内容】
【発明の詳細な説明】
【技術分野】
【０００１】
本願発明は、オフィスに独立した状態で設置できるフレーム式ブース状家具に関するものである。
【背景技術】
【０００２】
オフィスでは、作業目的に応じて各種の家具が使用されている。一般には、椅子とセットで使用される机（或いはテーブル）が家具の基準になっており、多数の机を様々なレイアウトで配置している。この場合、机の使用者が決まっていないフリーアドレス方式も広く普及している。
【０００３】
執務には机が使用されて、商談や会議にはテーブルが使用されるのが一般的であるが、特許文献１に開示されているように、建物の床に立設した複数本の支柱の上端をビームで連結することによってフレーム構造体を構成し、支柱にリング状の天板を取り付けてテーブルと成したり、支柱に棚板を取付けたりすることも提案されている。
【先行技術文献】
【特許文献】
【０００４】
【特許文献１】特開２００４−１８３２４９号公報
【発明の概要】
【発明が解決しようとする課題】
【０００５】
さて、近年、オフィスにおいては、ワーカーの生産性を高める等の観点から、ワーキングスタイルに変化がみられる。上記したフリーアドレス方式もその一環であり、また、特許文献１のフレーム構造体も、人の動きの自由性を高めたり、寛ぎ効果によってコミュニケーション効果を高めたりできるものであり、知的生産性を高めるための環境作りに貢献できるものである。
【０００６】
このように、ワーカーの自由性を高めて知的生産性向上に貢献できるような環境作りは進んでいるが、生産性向上のネックとして存在するワーカー自身の疲れや思考の行き詰まりに対しては、ワーカー自身の問題として、環境面からの配慮は成されていないのが実情である。
【０００７】
すなわち、ワーカーが仕事で疲れて能率が低下したり、アイデア等の創造に行き詰まって仕事が事実上停止したりしても、それはワーカーの内面の問題として認識されており、ワーカーは、せいぜい、椅子にもたれて休息するといった対策しか採ることができず、このため、仕事の能率（生産性）を高め難いという問題があった。
【０００８】
本願発明はこのような現状を改善すべく成されたものであり、心身の疲れを取ってリフレッシュしたり、気分転換によって思考の行き詰まりを打破したりできる環境作りに貢献できる家具（設備）を提供せんとするものである。
【課題を解決するための手段】
【０００９】
本願発明は、オフィスに設置されるフレーム式ブース状家具に関する。この発明は様々な構成を含んでおり、その典型の構成を各請求項で特定している。
このうち請求項１の発明は、
「平面視四角形の底板と、
前記底板の各辺に沿って配置された４本の底枠材から成る平面視四角形の底部枠体と、
前記底部枠体の各コーナー部から立ち上がった４本の支柱と、
前記支柱の上端に固定された天枠体とを備えており、
周囲が４つの面で形成されている構成であって、
前記周囲を構成する４つの面のうち少なくとも１つの面に、書き込み板又は電子モニターを配置している」
という構成になっている。
【００１０】
【００１１】
請求項２の発明は、請求項１において、
「前記周囲を構成する４つの面のうち前記書き込み板又は電子モニターが配置されていない面に、人がもたれ得るベルト又はロープが水平状の姿勢に配置されている」
という構成になっている。
【００１２】
請求項３の発明では、
「平面視四角形の底板と、
前記底板の各辺に沿って配置された４本の底枠材から成る平面視四角形の底部枠体と、
前記底部枠体の各コーナー部から立ち上がった４本の支柱と、
前記支柱の上端に固定された天枠体とを備えており、
周囲が４つの面で形成されている構成であって、
前記周囲を構成する４つの面のうち少なくとも１つの面に、人がもたれ得るベルト又はロープが水平状の姿勢に配置されている」
という構成になっている。
【００１３】
請求項４の発明に係るフレーム式ブース状家具は、請求項１〜３のうちのいずれかにおいて、
「前記天枠体は、平面視円形又は角形若しくは小判形のリング状に構成されていて、平面視において前記底部枠体の外周面よりも内側に配置されている」
という構成になっている。
【００１４】
請求項５の発明は、請求項１〜４のうちのいずれかにおいて、
「前記各支柱の上部は、その上端が平面視において前記底部枠体の内側にずれるように曲げられており、前記各支柱の上端に前記天枠体が固定されている」
という構成になっている。
請求項６の発明は、請求項１〜５のうちのいずれかにおいて、
「前記天枠体には、人が手を掛けてぶら下がり得る直線状のハンギングバー又はループ状のハンギングリングが水平状の姿勢で接続されている」
という構成になっており、この請求項６の具体例として、請求項７では、
「前記ハンギングバー又はハンギングリングは、前記支柱及び天枠体よりも小径に設定されている」
という構成になっている。
【００１５】
請求項８の発明では、
「平面視四角形の底部と、前記底部の各コーナー部から立ち上がった４本の支柱と、
前記底部の平行な２つの辺の端部に位置した一対の前記支柱の上端に連結されていて互いに平行な姿勢になっている一対のサイド天枠体と、前記一対のサイド天枠体に連結されていて人が手を掛けてぶら下がり得るハンギングバーとを備えている」
という構成になっている。
【発明の効果】
【００１６】
本願発明では、ワーカーは、請求項２，３のようなベルト又はロープや請求項６のようなハンギングリング又はハンギングバーを使用することにより、リフレッシュの動作を採ったり、休息したりすることができる。そして、身体を動かすことによって血行が促進されて高いリフレッシュ効果・気分転換効果を得ることができるため、心身の疲れを取って仕事の能率を向上させることが可能になる。つまり、オフィスにスポーツジム機能・エクササイズを持たせることができるのであり、これにより、ワーカーの心身をリフレッシュさせて、生産性向上に貢献できると、ワーカーの健康維持にも貢献できるのである。
【００１７】
また、例えば、椅子にもたれた状態で思索しても、居眠りに移行してしまって脳の活性化に繋がらない場合も多いが、本願請求項２では、フレーム式ブース状家具に設けたベルト等の補助具にて休息するという非日常的な休息を採り得るため、気分転換効果によって高い休息効果を発揮し、脳の活性化に大きく貢献し得る。従って、椅子にもたれただけの休息に比べて、知的生産性の向上効果は優れていると云える。
【００１８】
そして、本願発明の特徴は、家具が床に安定良く載置される底部を有することであり、底部を有することにより、建物の床にアンカーを打つような工事を要することなく、フロアーに簡単に設置できる。すなわち、現場で組み立てるだけでよいため、設置は簡単であると共に、底部を強度メンバーとして機能させ得ることにより、フレーム構造体を堅牢な構造とすることができる。なお、現場の状態が許せば、工場等で組み立ててユニット化されたものを搬入してそのまま設置することも可能であり、この場合は、現場での組み立てが不要になるため、非常にユーザーフレンドリーである。
【００１９】
本願発明では、リフレッシュ用の補助具を設けることが可能であり、その例として吊り輪を使用すると、ぶら下がり行為に際して音は出ないため、他人に迷惑をかけることなく血行を促進して高いリフレッシュ効果・気分転換効果を得ることができる。
【００２０】
また、補助具として、人が腰掛け得るハンモック又は遊動板を採用することも可能であり、この場合は、椅子による休息とは異なる刺激的な休息を得ることができて、脳の活性化に大きく貢献できる。人が底部（底板）に立った状態でもたれ掛かり得る水平状のバンド又はロープも休息のための手段と云えるが、これも、通常は見られない休息態様であるため、脳の活性化に貢献できると云える。バンド又はロープとして強い弾性があるものを使用すると、クッション作用によってより高い休息効果を得ることができると云える。
【００２１】
バンドやロープにもたれ掛かる場合は、例えば腰や背中のような一部が支持されることになるが、人を底部に足を付けた後傾姿勢に支持するもたれ板を使用すると、前身が安定した状態に支持されるため、リラックス性が高くなると云える。この場合も、人は基本的には立った姿勢なので、ベッドに寝た状態や椅子にもたれた状態に比べて居眠りへの移行は生じ難く、従って、一時的に休息して脳を活性化させる機能に優れていると云える。
【００２２】
補助具としてのエキスパンダーやダンベル、サンドバックの使用も可能であり、この場合も、血行を促進して高いリフレッシュ効果を得ることができる。僅かの時間だけ運動に近い動作を採ることにより、心身の疲れを取って知的生産性の向上に貢献できるのである。
【００２３】
請求項６の発明は、補助具を使用せずに、枠体を構成するハンギングリングやハンギングバーに人が直接手を掛けるようにしたものであり、この場合も、血行の促進や気分転換により、高いリフレッシュ効果を発揮して知的生産性向上に貢献できる。
【００２４】
請求項１の発明は、フレーム構造体にいわばオプション的な機能を保持させたものであり、各部材の性質に応じて効果が発揮される。
【００２５】
また筆記用ボードやノートパソコンを載置可能な天板を設けると、フレーム式ブース状家具を作業スペースとして使用できる。この例から理解できるように、フレーム式ブース状家具は、ワーカーを活性化させるための専用スペースとして使用することもできるし、リラックス機能付き作業スペースとして使用することもできる。
【００２６】
人の腰掛け部材（すなわち、椅子又はその類似物）を設けると、人がフレーム式ブース状家具の内部で作業をしたり談話したりすることができる。この場合も、腰を落ち着けるものではなくて身体に少し負荷が掛かる状態になるため、脳への刺激という点では優れている。
【００２７】
実施形態のように、テーブルや腰掛け部材を設けると、フレーム式ブース状家具を作業や商談、談話のスペースとしても使用できるため、使用価値が一層向上すると云える。
【図面の簡単な説明】
【００２８】
【図１】第１実施形態を示す図で、（Ａ）は全体を上方から見た斜視図、（Ｂ）は下方から見た部分斜視図である。
【図２】第１実施形態の分離斜視図である。
【図３】第１実施形態の部分斜視図である。
【図４】第１実施形態を示す図で、（Ａ）は正面図、（Ｂ）は使用状態の一例を示す部分的な正面図である。
【図５】第２実施形態の斜視図である。
【図６】（Ａ）は第２実施形態の正面図、（Ｂ）はハンモックの別例断面図である。
【図７】第３実施形態の斜視図である。
【図８】第４実施形態を示す図で、（Ａ）は全体の斜視図、（Ｂ）は使用状態の一例を示す図である。
【図９】（Ａ）は第５実施形態の部分斜視図、（Ｂ）は第６実施形態の部分斜視図、（Ｃ）は第７実施形態の部分斜視図である。
【図１０】（Ａ）は第８実施形態の部分斜視図、（Ｂ）は第９実施形態の部分斜視図である。
【図１１】（Ａ）は変形例の部分斜視図、（Ｂ）は第１０実施形態の部分斜視図である。
【発明を実施するための形態】
【００２９】
(1).第１実施形態の基本構造
次に、本願発明の実施形態を図面に基づいて説明する。まず、図１〜図４を参照して第１実施形態を説明する。本実施形態のフレーム式ブース状家具は、主要要素として、平面視四角形（正方形）の底板１と、大まかには直方体状のフレーム構造体２とを備えている。
【００３０】
本実施形態では、フレーム構造体２は、底板１の各辺の外側に寝かせて配置された４本の底枠材から成る底部枠体３と、底板１の各コーナーの外側から立ち上がった４本の支柱（縦枠体）４と、底部枠体３と平行な姿勢で支柱４の上端間に配置された４本の天枠体５と、４本の天枠体５で囲われた内部に配置された平面視円形のハンギングリング６とを有している。底板１と底部枠体３とによって底部が構成されている。他方、ハンギングリング６はリフレッシュ用補助具の一例であり、人はハンギングリング６にぶら下がることができる。ハンギングリング６は平面視四角形であってもよい。
【００３１】
本実施形態では、各枠体３，５と支柱４とは同径の金属パイプが使用されており、隣り合った３本の枠体３，５及び支柱４は、互いに直交した３本の筒部を有する三方ジョイント７によって接続されている。すなわち、隣り合った枠体３，５及び支柱４の端部を三方ジョイント７の筒部に挿入して、ボルト（図示せず）で筒部に固定している。互いに直交した３本のボス体を有する三方ジョイントを使用して、各ボス体を枠体３，５及び支柱４の端部に挿入してボルトで固定してもよい。
【００３２】
天枠体５は、ステー８を介して各天枠体５に固定されている。ステー８の両端には継手部８ａ，８ｂを設けており、継手部８ａ，８ｂは、天枠体５及びハンギングリング６にボルトで固定されている。この場合、天枠体５に被嵌した継手部８ａは単なる筒状でもよいが、ハンギングリング６に固定される継手部８ｂは割方式になっている。但し、ハンギングリング６が４分割されている場合は、継手部８ｂを筒状に構成しても差し支えない。強度の面からは、ハンギングリング６はループ構造であるのが好ましい。ハンギングリング６は、人が握りやすいように支柱４及び天枠体５より小外径になっている。
【００３３】
天枠体５は、一般成人の身長よりも高い位置に配置しており、例えば２００〜２５０ｃｍの高さとすることができる。ハンギングリング６は天枠体５よりも少し低い位置に配置している。ハンギングリング６は、平均的な一般成人（例えば身長１６０ｃｍ前後）が手を伸ばして届く程度の高さに設定しており、例えば、１９０〜２１０ｃｍ程度に設定できる。従って、人は、ハンギングリング６に手を掛けて、膝を折った状態でぶら下がることができる。ハンギングリング６に手が届かない場合は、椅子や踏み台を使用してぶら下がったらよい。
【００３４】
上記したように、底板１は、４本の底部枠体３で囲われた内部に配置されており、底部枠体３の上面と略同じ高さになるように設定している。なお、本実施形態では、三方ジョイント７の筒部に底部枠体３の端部が嵌まっているため、建物の床面には下端に位置した三方ジョイント７が当接している。三方ジョイント７と底板１との相互間、又は、底部枠体３と底板１との相互間を金具類で固定することも可能である。
【００３５】
図２（Ｂ）に示すように、底板１は、格子状の芯材１ａに上板を張った構造になっているが、単なる１枚板の構造であってもよい。芯材１ａを使用する場合、樹脂製とすることも可能である。また、本実施形態のように底部枠体３の群で囲われた内部に底板１を嵌め込む方式を採用する場合は、底板１として、いわゆるアクセスフロアーの構成部材を使用することも可能である。
【００３６】
接地する底部枠体３を使用せずに、底板１から支柱４を立設してもよい。この場合は、底板１が請求項に記載した底部になる。また、この場合は、支柱４の下端にフランジ板を固定して、このフランジ板を底板１にビス止めするなどしたらよい。支柱４及び枠体３，５は丸パイプである必要はなく、例えば、角形鋼管やＣ形チャンネル材を使用することも可能である。楕円管（オーバル管）も採用できる。ハンギングリング６は、各天枠体５と同じ高さであってもよいし、ハンギングリング６が天枠体５より高い高さであってもよい。
【００３７】
(2).付属品
底板１の中央部には、平面視円形のテーブル９を配置している。テーブル９は中央部に配置された脚１０を有しており、脚１０は底板１に固定されている。なお、テーブル９は、オプション品であってもよいし標準品として装備してもよい。
【００３８】
フレーム構造体２の周囲には４つの面が構成されているが、隣り合った２つの面はオープンにして、他の隣り合った２つの面をそれぞれ壁パネル１１で塞いでいる。壁パネル１１は１つの面に２枚ずつ配置されているが、枚数は横幅に応じて設定したらよい。壁パネル１１は、その周囲を構成する枠体に板材を装着した構成とすることができる。全体を１枚板の構造にしてもよい。いずれにしても、上端は天枠体５に固定されて、下端は底部枠体３に固定されている。
【００３９】
壁パネル１１の構造は、必要とする機能に応じて様々に選択できる。例えば、完全な目隠し機能を得たい場合は、間仕切パネルのように遮光構造にすることができる。外からも見えるようにしたい場合は、ガラス板やアクリル板のような透明材で構成したらよい。透光性のみ確保したい場合は、スリガラスのような透光性非透明板を使用したらよい。高さ方向の一部だけに透明板を配置するというように、高さによって機能やデザインを変えることも可能である。
【００４０】
壁パネル１１の内側にはインナーパネル１２を配置して、壁パネル１１の外側にはアウターパネル１３を配置している。インナーパネル１２及びアウターパネル１３は横長の姿勢になっているが、形状や高さ位置は必要に応じて任意に設定できる。これらインナーパネル１２及びアウターパネル１３は、単なる美粧目的に配置することも可能であるし、例えば、ピンナップ性を持たせて表示板として使用することも可能である。そして、本願発明では、いずれか一方又は両方を、ホワイトボードや黒板のような書き込み板とするか、又は電子モニターを配置する。
【００４１】
各パネル１１，１２，１３（書き込み板又は電子モニター）は、１つ又は２つを設けてもよい。１つの面のみに設けたり、全周面に設けたりすることも可能であり、各面で配置態様を異ならせてもよい。全周面にパネルを設けた場合は、人の出入りのための入り口を形成しておく必要がある。目隠し手段や美粧手段としては、可撓性を有するスクリーンやカーテンを設けることも可能である。
【００４２】
本実施形態では、身体を支持する休息用の補助具として、隣り合った２つの外周面の個所に、人が腰掛け得る第１ベルト１４と、第１ベルト１４に腰掛けた人がもたれ得る第２ベルト１５とを水平姿勢に配置している。第１ベルト１４の端部は、支柱４に固定した側面視山形のブラケット１６の上傾斜部に固定している。従って、第１ベルト１４の広幅面は鉛直線に対して傾斜しており、人は、中腰の状態で第１ベルト１４に腰掛けることになる。
【００４３】
第２ベルト１５は、接続具を介して隣り合った支柱４の間に配置している。この場合、第２ベルト１５と壁パネル１１との間には間隔が空いている。従って、壁パネル１１は支柱４の後端部に取付けられている。第２ベルト１５を、第１ベルト１４と同様に、フレーム式ブース状家具の内部に突出したブラケットに取り付けることも可能である。
【００４４】
両ベルト１４，１５は、例えば動力伝達用平ベルトのように、伸び変形しない素材が使用されている。このため、人の身体を的確に支持できる。もとより、強弾性糸より成る編地又は織地を使用して、使用者の体圧で僅かながら伸び変形させることも可能である。
【００４５】
(3).第１実施形態のまとめ
本実施形態のフレーム式ブース状家具は、例えばオフィスのフロアーにリフレッシュエリアとして設置される。そして、オフィスのワーカーが仕事に疲れたり行き詰まったりしたら、フレーム式ブース状家具にやって来て、図４（Ａ）に示すようにハンギングリング６にぶら下がってストレッチを行ったり、図６（Ｂ）に示すように、第１及び第２のベルト１４，１５にもたれて休息したりすることができる。
【００４６】
ハンギングリング６にぶら下がることによって血行が促進されると共に、気分転換によって疲れを癒したり、脳を活性化させてアイデアを引出したりすることができる。つまり、オフィスにエクササイズ機能を設けたのと同じ状態にすることより、ワーカーの心身を活性化させて知的生産性を高めることができるのである。
【００４７】
テーブル９に飲み物を置いて、フレーム式ブース状家具を談話室として使用することも可能である。この場合、人は、ベルト１４，１５にもたれて休息するという非日常的な休息態様を採るため、休息はしつつも脳の刺激機能は高くて、ワーカーの創造性を高めることができると云える。
【００４８】
テーブル９にノートパソコンを置くなどして、フレーム式ブース状家具で作業を行うことも可能である。フレーム式ブース状家具を作業場として使用する態様には、一時的に自席を離れてフレーム式ブース状家具で作業する使用態様と、フレーム式ブース状家具を特定人の作業場として、疲れたらハンギングリング６にぶら下がってリフレッシュするという使用態様とがある。
【００４９】
なお、第２実施形態に示すハンモックをハンギングリング６に吊支することも可能である。ハンギングリング６は円形であるが、天枠体５の群と相似形の四角形にすることも可能である。本実施形態では、ハンギングリング６はフレーム構造体２の補強機能も発揮している。
【００５０】
また、本実施形態では、三方ジョイント７を使用してフレーム構造体２を組み立ててから、底部枠体３で囲われた内部に底板１を配置したらよいため、組み立ては簡単である。ぶら下がりのための補助具としては、図示のハンギングリング６に代えて、又はこれに加えて、水平状のハンギングバーを適宜個数配置してもよい。
【００５１】
(4).第２，３実施形態
図５，６に示す第２実施形態では、天枠体５を平面視円形のリング状に構成して、この天枠体５に補助具の一例としての腰掛け用ハンモック２０を吊支している。天枠体５は、Ｔ形継手８ｃで支柱４の上端に固定されている。ハンモック２０は２だけ表示しているが、２つのみ又は３つ以上であってもよい。本実施形態では、各支柱４は底板１のコーナー部に立設している。従って、本実施形態では、底部は底板１として表示していて参考例になっている。天枠体５は底板１の内接円よりも小径であるため、各支柱４の上端部は天枠体５に向けて庇状に曲がっている。
【００５２】
ハンモック２０は強靱な織地又は編地若しくはネット材からなっており、人は、リラックスした状態でハンモック２０に腰掛けることができる。ハンモック２０は、上に行くに従って幅が狭くなる形状になっている。天枠体５は、平面視でテーブル９を囲うように配置されている。従って、天枠体５に飛び飛びでハンモック２０を吊支することにより、複数人が休息しながら談話することができる。
【００５３】
フレーム構造体２における隣り合った２つの面の個所には、壁パネル１１とインナーパネル１２とを配置している。また、パネル１１，１２を配置していない１つの面の個所には、ハンモック２０に腰掛けた人がもたれ得る上下２段のロープ２１を配置している。パネル１１，１２を配置せずに、３つの面にロープ２１を配置してもよい。ロープ２１の両端は支柱４に接続されている。なお、支柱４は底板１（底部）のコーナーの個所のみに配置しているが、家具の大きさや必要な強度等に応じて、各辺の個所に中間的な支柱４を適宜本数配置してもよい。この点は、他の実施形態も同様である。
【００５４】
本実施形態では、パネル１１，１２を取り付けていない１本の支柱４に、上向き開口のトレー２２と鏡２３とを取り付けている。トレー２２には、植木鉢を収納したり、造花や切り花を飾ったりすることができる。図示していないが、支柱４や天枠体５を利用して灯具を取り付けることも可能である（この点は、他の実施形態も同様である。）。
【００５５】
腰掛け式のハンモック２０は、図６（Ｂ）に示すように、背当て部２０ａを一体に設けか構造も採用可能である。この構成を作用すると、人の身体の安定性が高くなる利点がある。ハンモック２０の外面又は内面に、スマートホォン等の小物を入れるポケット部を設けることも可能である。また、ハンモック２０に代えて又はこれに加えて、ブランコ状の遊動板を天枠体５から吊支してもよい。天枠体５又は支柱４の上部に、人がぶら下がるための吊り輪を設けることも可能である。
【００５６】
図７に示す第３実施形態は第２実施形態の変形例であり、この実施形態は、フレーム式ブース状家具が平面視長方形に形成されており、これに伴って、天枠体５もテーブル９も平面視小判形の形態を成している。または、テーブル９は２本の脚１０で支持されている。底部は、参考例として底板１のみを表示している。
【００５７】
図７ではハンモック２０は１つしか表示していないが、多数のハンモック２０を吊支することができる。ハンモック２０の上端に鉤体を設けるなどして、ハンモック２０を着脱式とすることも可能である。この場合は、使用者の数に応じてハンモック２０の数を任意に増減できる。また、個人の好みに応じて専用のハンモック２０を使用することも可能になる。図７（Ｂ）では、ハンモック２０とロープ２１とを使用している状態を表示している。
【００５８】
(5).第４実施形態
図８に示す第５実施形態では、リフレッシュ用の補助具として、多数の吊り輪２４を使用した状態を示している。吊り輪２４は、平行に配置された多数の横梁２５に吊支されており、横梁２５は、平行に延びる２本の天枠体５及び中間枠体２６に装架されている。吊り輪２４の上端はリング構造になっており、横梁２５の長手方向に沿って位置を自在に変更できる。底板１は四角形になっているが、円形や小判形であってもよい。
【００５９】
本実施形態の吊り輪２４は電車の吊り輪と同じであり、帯状のベルトにリングを取り付けた構造である。従って、リングは一定の姿勢に保持されている。人が両手を吊り輪にぶら下がる場合、左右の手の平を対向させた姿勢にする場合と、左右の手の平を同じ方向に向けた場合とがあり、どちらの姿勢を採るかは人の好みであるが、本実施形態では、１本の横梁２５に吊支されている２本の吊り輪にぶら下がると、左右の手の平を同じ方向に向けることになり、平行な２本の横梁に吊支された吊り輪にぶら下がると、左右の手の平を対向させた姿勢になる。このため、人の好みに応じて、腕に負担がかからないぶら下がり姿勢を選択できる。
【００６０】
(6).第５〜７実施形態
図９では、リフレッシュ用補助具の別例を示している。このうち図９（Ａ）に示す第５実施形態では、フレーム構造体２の外周面の個所に、補助具の例として、丸パイプ等よりなる横桟２７を多段に装架して、人が横桟２７を使用して、よじ上り姿勢でぶら下がりできるようにしている。手と足とを横桟２７に掛けた状態で身体を屈伸させる、といった全身運動も可能である。このため、血行促進効果は高くて、ワーカーの健康増進に大きく貢献できる。
【００６１】
図９（Ｂ）に示す第６実施形態では、横梁２５に、補助具の例として、引っ張りコイルばね２８を介して吊り棒２９を取付けている。人は、筋力トレーニングのような状態で吊り棒２９を引っ張ることができる。ばね２８の強さを適度に設定しておくことにより、懸垂や腕立て伏せほどの負荷を身体にかけることなく、疲れを取ることができる。
【００６２】
ばね２９に代えて、ゴム（例えば平ゴム）を使用することができる。また、支柱にゴムや引っ張りばねを介してグリップを取付けて、エキスパンダーに類似した補助具と成すことも可能である。
【００６３】
図９（Ｃ）に示す第７実施形態では、支柱４から内向き突設したアーム１６′に水平姿勢の支軸３０を取付けて、この支軸３０に、補助具の一例として、人がもたれ掛かり得るもたれ体３１を回動自在に連結している。もたれ体３１は、ねじりコイルばねやトーションバー等のばね手段に抗して後傾可能であり、人は、身体を伸ばした状態でもたれ体３１にもたれ掛かって、ばね力に抗して身体を後傾させることができる。これにより、高いストレッチ効果を得ることができる。身体を伸ばすだけなので、女性も使用しやすい。
【００６４】
(7).第８，９実施形態
図１０（Ａ）に示す第８実施形態は、隣り合った支柱４に、人の腰が当たる下部もたれ体３１ａと、人の背中が当たる上部もたれ体３１ｂとが、互いに独立して水平状の軸心回りに回動自在となるように取付けている。両もたれ体３１ａ，３１ｂは、それぞれ左右のサイドフレーム３２をステー３３で連結して、左右サイドフレーム３２にメッシュ等の可撓性シート材３４を張った構造であり、上下もたれ体３１ａ、３１ｂは、ばね体（図示せず）に抗して前後後傾するように支柱４に取付けられている。
【００６５】
従って、人は、両もたれ体３１ａ，３１ｂに身体を預けて、ばね体の弾性に抗して身体を伸ばしたり、ばね体の弾性によって身体を曲げた状態に戻したりすることができる。すなわち、両もたれ体３１ａ，３１ｂを利用して屈伸運動を行うことができる。従って、もたれ体３１ａ，３１ｂはリフレッシュ用補助具の一例である。
【００６６】
図１０（Ｂ）に示す第９実施形態ももたれ体３１の別例であり、この実施形態のもたれ体３１は、１つで人の身体全体を支持するようになっている。すなわち、側面視で極く緩い略Ｓ字状に曲がったサイドフレーム３３と、左右のサイドフレーム３３を繋ぐ上下のステー３３と、左右サイドフレーム３３に張った可撓性シート材３４とから成っている。そして、ばね体に抗して前後回動するように、支柱４に突設したアーム１６′に取付けられている。この実施形態では、使用者は、身体を、伸ばしたり曲げたりしつつばね体に抗して傾動させることができる。
【００６７】
(8).参考例，第１０実施形態
図１１では、参考例と第１０実施形態を示している。これら両形態は、フレーム構造体２を主として作業目的に使用している。従って、補助具はリフレッシュ用や休息用ではなくて、作業用（執務）になる。但し、リフレッシュ用に使用することは可能であり、リフレッシュ用に使用できないという趣旨ではない。
【００６８】
両形態ともフレーム式ブース状家具は長方形であり、長方形の底板１の前後両端部に門型のエンドフレーム３２を立設している。従って、前後エンドフレーム３５は、底板１（底部）の短辺方向に延びる一対の延びるエンド天枠体５′を備えており、（Ａ）の参考例では、一対のエンド天枠体５′を、底板１の長手方向に延びる１本のビーム状天枠体（梁材）３６で連結している。
【００６９】
そして、（Ａ）の参考例では、ビーム状天枠体３６から垂下した吊り棒３７にロング天板３８を固定し、ロング天板３８を挟んだ両側に、人がいわゆるチョイ掛けできる椅子３９を適宜間隔で多数配置している（図では、椅子３９の列は片側しか表示しない。）。ロング天板３８には、例えばノートパソコンやタプレット端末を載置することができる。もちろん、筆記にも使用できる。
【００７０】
このフレーム式ブース状家具は、多数のワーカーが一時的に集まってミーティグしたり、マネージャーに指揮を受けたりするのに好適である。すなわち、一般ワーカーはロング天板３８を挟んだ両側に中腰の姿勢で並んでおり、マネージャーは、フレーム式ブース状家具の一端部に立って指示等を行う。従って、自席を必要としない営業マンのミーティングなどに好適である。ロング天板３８の下方を荷物載置棚とすることも可能である。
【００７１】
図１１（Ａ）の参考例は、ワーカーが一時的に使用するものであったが、図１１（Ｂ）に示す第１０実施形態では、ワーカーが自席として使用するタイプを示している。すなわちこの実施形態では、まず、底板１に、腰掛け用バー４０と背もたれ用バー４１とを背中合わせ状に一対ずつ設けて、腰掛け用バー４０及び背もたれ用バー４１の群を挟んだ両側に、パソコン等を載置できる作業テーブル４２を適宜間隔で多数配置している。
【００７２】
従って、ワーカーは、中腰状態で腰掛け用バー４０と背もたれ用バー４１とに身体を預けた状態で、パソコン操作等で作業（仕事）を行える。中腰状態であるため、猫背を防止できると共に、血行不良も防止できる。腰掛け用バー４０と背もたれ用バー４１とは、丸太状になっているが、いずれか一方又は両方を板状や半円状に形成することも可能である。バー４０，４１の外周面にクッション材を巻くことも可能である。
【００７３】
図１１（Ｂ）の実施形態では、一対のサイド天枠体５′を左右２本のハンガービーム３６′で連結しており、ハンガービーム３６′を灯具等の取付けや、ぶら下がりのハンガーとして使用できる。椅子に腰掛けて長時間作業を行うと、血行が悪くなって痔疾の原因にもなりやすいが、本実施形態のような中腰支持方式の身体支持手段を採用することにより、血行を促進して作業能率も向上できると云える。
【００７４】
(6).その他
本願発明は、上記の実施形態の他にも様々に具体化できる。例えば、リフレッシュ用の補助具として、底部に配置した回転板を採用し、これに人が乗って身体をねじる（ツイストさせる）ことも可能である（この場合は、身体を安定させるための吊り具を併用するのが好ましい。）。補助具として、天枠体からループ状のロープを垂らして、このロープを掴んだ状態で身体を大きく傾かせる、といったリフレッシュ動作を採ることも可能である。
【００７５】
更に、リフレッシュ用の補助具としては、重りを持ち上げるダンベルのようなものや、ばねに抗して傾動する左右一対のハンドルから成るボート漕ぎ具のようなもの、或いは、拳で打つことができるサンドバックなども採用できる。
【産業上の利用可能性】
【００７６】
本願発明は、実際に具体化できる。従って、産業上利用できる。
【符号の説明】
【００７７】
１  底部を構成する底板
２  フレーム構造体
３  底部を構成する底部枠体
４  支柱
５，５′，３６  天枠体
６  リフレッシュ用補助具の一例としてのハンギングリング
９  テーブル
１１，１２，１３  パネル
１４，１５  休息用補助具の一例としてのベルト
２０  休息用補助具の一例としてのハンモック
２１  休息用補助具の一例としてのロープ
２４  リフレッシュ用補助具の一例としての吊り輪
２５  横梁
２９  リフレッシュ用補助具の一例としての吊り棒
３１，３１ａ，３１ｂ  リフレッシュ用又は休息用補助具の一例としてのもたれ体
３６′  ハンガービーム
【手続補正３】
【補正対象書類名】図面
【補正対象項目名】図１０
【補正方法】変更
【補正の内容】
【図１０】
2019178606.tif 000014
【手続補正４】
【補正対象書類名】図面
【補正対象項目名】図１１
【補正方法】変更
【補正の内容】
【図１１】
2019178606.tif 000015